【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
送信装置と、端末装置と、前記端末装置に対して提供情報を提供するサーバシステムとを含む情報提供システムであって、
前記送信装置は、
所定の識別情報を変調し、この変調された内容を、光を通信媒体として送信する第１の送信手段を備え、
前記端末装置は、
二次元で配列された複数の受光素子からなる受光面を有する受光手段と、
前記受光手段によって受光された光が前記第１の送信手段によって送信された光であるとき、この光を復調して前記識別情報を取得する識別情報取得手段と、
前記受光手段による受光状況を取得する受光状況取得手段と、
前記識別情報取得手段によって取得された識別情報と前記受光状況取得手段によって取得された受光状況とを前記サーバシステムへ送信する第２の送信手段と、
を備え、
前記サーバシステムは、
前記識別情報及び前記受光状況に対応付けられた提供情報を記憶する記憶手段と、
前記第２の送信手段からの前記識別情報及び前記受光状況を受信する第１の受信手段と、
前記第１の受信手段により受信された前記識別情報及び前記受光状況と前記記憶手段の記憶内容とに基づいて、送信すべき提供情報を判別する第１の判別手段と、
前記第１の判別手段により判別された前記提供情報を前記端末装置へ送信する第３の送信手段と、
を備えることを特徴とする情報提供システム。
【請求項２】
前記記憶手段は、前記識別情報に対応する第１の提供情報と、前記受光状況に対応する第２の提供情報とを記憶し、
前記第１の判別手段は、前記第１の受信手段により受信された前記識別情報に対応する前記第１の提供情報と前記第１の受信手段により受信された前記受光状況に対応する前記第２の提供情報とを前記記憶手段から読み出し、前記第１の提供情報と前記第２の提供情報とを合成した提供情報を取得することを特徴とする請求項１に記載の情報提供システム。
【請求項３】
前記受光状況は、前記受光手段における前記受光面における光の受光位置を含むことを特徴とする請求項１又は２に記載の情報提供システム。
【請求項４】
前記受光状況は、前記受光手段における前記受光面における前記光の受光範囲の比率を含むことを特徴とする請求項１乃至３の何れか１項に記載の情報提供システム。
【請求項５】
前記端末装置は更に、
特定の情報が取得されたか否かを判別する第２の判別手段を備え、
前記第２の送信手段は、前記第２の判別手段によって前記特定の情報が取得されたと判別された場合に、前記識別情報取得手段によって取得された識別情報と前記受光状況取得手段によって取得された受光状況とを前記サーバシステムへ送信することを特徴とする請求項１乃至４の何れか１項に記載の情報提供システム。
【請求項６】
前記識別情報は、ネットワークにおける前記サーバシステムの所在を規定するための情報であり、
前記特定の情報は、前記所在を規定するための情報を無効化するための情報であり、
前記第２の送信手段は、前記無効化するための情報を削除して、前記所在を規定するための情報を有効化することを特徴とする請求項５に記載の情報提供システム。
【請求項７】
前記端末装置は更に、
前記提供情報を受信する第２の受信手段と、
前記第２の受信手段によって受信された前記提供情報に基づく出力を行う出力手段と、
を備えることを特徴とする請求項１乃至６の何れか１項に記載の情報提供システム。
【請求項８】
前記提供情報は、音声情報であり、
前記出力手段は、前記第２の受信手段によって受信された前記音声情報に基づいて音声出力を行うことを特徴とする請求項７に記載の情報提供システム。
【請求項９】
前記サーバシステムは、複数のサーバにより構成されることを特徴とする請求項１乃至８の何れか１項に記載の情報提供システム。
【請求項１０】
送信装置と、端末装置と、前記端末装置に対して提供情報を送信するサーバシステムとを含む情報提供システムにおける前記サーバシステムであって、
所定の識別情報と、前記端末装置での前記識別情報を変調した光の受光状況とに対応付けられた提供情報を記憶する記憶手段と、
前記端末装置から、前記送信装置が変調した光の前記識別情報、及び、当該端末装置の前記光の受光状況を受信する受信手段と、
前記受信手段により受信された前記識別情報及び前記受光状況と前記記憶手段の記憶内容とに基づいて、送信すべき提供情報を判別する判別手段と、
前記判別手段により判別された前記提供情報を前記端末装置へ送信する送信手段と、
を備えることを特徴とするサーバシステム。
【請求項１１】
前記記憶手段は、前記識別情報に対応する第１の提供情報と、前記受光状況に対応する第２の提供情報とを記憶し、
前記判別手段は、前記受信手段により受信された前記識別情報に対応する前記第１の提供情報と、前記受信手段により受信された前記受光状況に対応する前記第２の提供情報とを前記記憶手段から夫々読み出し、前記第１の提供情報と前記第２の提供情報とを合成した提供情報を取得することを特徴とする請求項１０に記載のサーバシステム。
【請求項１２】
送信装置と、端末装置と、前記端末装置に対して提供情報を提供するサーバシステムとを含む情報提供システムにおける前記端末装置であって、
二次元で配列された複数の受光素子からなる受光面を有する受光手段と、
前記受光手段によって受光された前記送信装置からの光を復調して所定の識別情報を取得する識別情報取得手段と、
前記受光手段による受光状況を取得する受光状況取得手段と、
前記識別情報取得手段によって取得された識別情報と前記受光状況取得手段によって取得された受光状況とを前記サーバシステムへ送信する送信手段と、
を備えることを特徴とする端末装置。
【請求項１３】
前記受光状況は、前記受光手段における前記受光面における光の受光位置を含むことを特徴とする請求項１２に記載の端末装置。
【請求項１４】
前記受光状況は、前記受光手段における前記受光面における前記光の受光範囲の比率を含むことを特徴とする請求項１２又は１３に記載の端末装置。
【請求項１５】
特定の情報が取得されたか否かを判別する判別手段を更に備え、
前記送信手段は、前記判別手段によって前記特定の情報が取得されたと判別された場合に、前記識別情報取得手段によって取得された識別情報と前記受光状況取得手段によって取得された受光状況とを前記サーバシステムへ送信することを特徴とする請求項１２乃至１４の何れか１項に記載の端末装置。
【請求項１６】
前記識別情報は、ネットワークにおける前記サーバシステムの所在を規定するための情報であり、
前記特定の情報は、前記所在を規定するための情報を無効化するための情報であり、
前記送信手段は、前記無効化するための情報を削除して、前記所在を規定するための情報を有効化することを特徴とする請求項１５に記載の端末装置。
【請求項１７】
前記提供情報を受信する受信手段と、
前記受信手段によって受信された前記提供情報に基づく出力を行う出力手段と、
を更に備えることを特徴とする請求項１２乃至１６の何れか１項に記載の端末装置。
【請求項１８】
前記提供情報は、音声情報であり、
前記出力手段は、前記受信手段によって受信された前記音声情報に基づいて音声出力を行うことを特徴とする請求項１７に記載の端末装置。
【請求項１９】
送信装置と、端末装置と、前記端末装置に対して提供情報を提供するサーバシステムとを含む情報提供システムにおける前記サーバシステムの情報提供方法であって、
所定の識別情報と前記識別情報を変調した光の受光状況とに対応付けられた提供情報を記憶手段に記憶する記憶ステップと、
前記端末装置からの前記識別情報及び前記受光状況を受信する受信ステップと、
前記受信ステップにて受信された前記識別情報、及び、前記光の受光状況と、前記記憶手段の記憶内容とに基づいて、送信すべき提供情報を判別する判別ステップと、
前記判別ステップにて判別された前記提供情報を前記端末装置へ送信する送信ステップと、
を含むことを特徴とする情報提供方法。
【請求項２０】
送信装置と、端末装置と、前記端末装置に対して提供情報を提供するサーバシステムとを含む情報提供システムにおける前記端末装置の情報提供方法であって、
受光手段により前記送信装置からの光を受光する受光ステップと、
前記受光ステップにて受光された光を復調して所定の識別情報を取得する識別情報取得ステップと、
前記受光ステップでの受光状況を取得する受光状況取得ステップと、
前記識別情報取得ステップにて取得された識別情報と前記受光状況取得ステップにて取得された受光状況とを前記サーバシステムへ送信する送信ステップと、
前記送信ステップにて送信された前記識別情報と前記受光状況に応答して、前記サーバシステムより送信された提供情報を受信する受信ステップと、
前記受信ステップにて受信された前記提供情報に基づく出力を出力手段に行わせる出力ステップと、
を含むことを特徴とする情報提供方法。
【請求項２１】
送信装置と、端末装置と、前記端末装置に対して提供情報を提供するサーバシステムとを含む情報提供システムにおける前記サーバシステムのコンピュータを、
所定の識別情報と前記識別情報を変調した光の受光状況とに対応付けられた提供情報を記憶する記憶手段、
前記端末装置からの前記識別情報及び前記受光状況を受信する受信手段、
前記受信手段により受信された前記識別情報、及び、前記光の受光状況と、前記記憶手段の記憶内容とに基づいて、送信すべき提供情報を判別する判別手段、
前記判別手段により判別された前記提供情報を前記端末装置へ送信する送信手段、
として機能させることを特徴とするプログラム。
【請求項２２】
送信装置と、端末装置と、前記端末装置に対して提供情報を提供するサーバシステムとを含む情報提供システムにおける前記端末装置が有するコンピュータを、
二次元で配列された複数の受光素子からなる受光面を有する受光手段によって受光された、前記送信装置からの光を復調して所定の識別情報を取得する識別情報取得手段、
前記受光手段による受光状況を取得する受光状況取得手段、
前記識別情報取得手段によって取得された識別情報と前記受光状況取得手段によって取得された受光状況とを前記サーバシステムへ送信する送信手段、
前記送信手段により送信された前記識別情報と前記受光状況に応答して、前記サーバシステムより送信された提供情報を受信する受信手段、
前記受信手段にて受信された前記提供情報に基づく出力を出力手段に行わせる出力制御手段、
として機能させることを特徴とするプログラム。